(57)【要約】      （修正有）【課題】回転負荷が小さい場合に摘み回すことができ、かつ、スティックの代わりにドラムヘッドを叩いてドラムヘッドの張りを確認できるドラム用チューニングキーを提供する。【解決手段】音楽用ドラムのドラムヘッドの張り状態を調整するための調整用ボルトを回転させるためのドラム用チューニングキー１において、調整用ボルトに着脱自在に装着される装着部６が一端に形成され、他端側に摘み回転部５が形成される金属製のロッド３と、摘み回転部が突出するように、ロッドに直交して配置される木製のハンドル部２とによって構成される。回転負荷の小さい段階では、摘み回転部５を摘んで回転させ、回転負荷が大きくなった時に、ハンドル部２を利用して調整用ボルトを締め付ける。ハンドル部でドラムヘッドを叩いて音を確認しながら、調整ボルトを回転させることもできる。【選択図】図１
0003186182.tif 000002
【実用新案登録請求の範囲】
【請求項１】
音楽用ドラムのドラムヘッドの張り状態を調整するための調整用ボルトを回転させるためのドラム用チューニングキーにおいて、
前記調整用ボルトに着脱自在に装着される装着部が一端に形成され、他端側に摘み回転部が形成される金属製のロッドと、
該金属製のロッドの摘み回転部が突出するように、該ロッドに直交して配置される木製のハンドル部とによって構成されることを特徴とするドラム用チューニングキー。
【請求項２】
前記ハンドル部は、円筒形状であり、その両端は球面状に形成されることを特徴とする請求項１記載のドラム用チューニングキー。
【請求項３】
前記金属製のロッドの摘み回転部には、滑り止めの凹凸が形成されることを特徴とする請求項１又は２記載のドラム用チューニングキー。
【考案の詳細な説明】
【技術分野】
【０００１】
本考案は、ドラムヘッドの張力調整を行うために、ドラムヘッドの周囲に配置された複数の締め付けボルトを回転させるためのドラム用チューニングキーに関する。
【背景技術】
【０００２】
特許文献１（実開昭５２−１１２８１４号公報）は、適宜の長さの軸膨を、両端部の軸心が適宜間隔をおいて平行となるようほぼＺ状に屈曲形成し、その一端にドラムヘッドの調整ねじの東部と嵌合可能なソケットヘッド部を形成し、他端に把持片を回転可能に裝設してなるドラムヘッドの調整ねじ回動用工具を提供する。
【０００３】
特許文献２（実開平１−８５７９８号公報）は、円柱状のキー本体と、キー本体の基部に一体に設けられ該キー本体と直交する把持部とでＴ字状に形成されたドラム用チューニングキーを開示する。
【０００４】
特許文献３（特開２００３−２４５８６２号公報）は、チューニング用の締め付けボルトの東部に適合する受け口を有するソケットレンチと、ハンドルとを有するドラム用チューニングキーにおいて、前記ハンドルを六角棒スパナで構成し、この六角棒スパナがＬ字状に形成されて前記ソケットレンチの軸線と直交するように取り付けられていることを特徴とするドラム用チューニングキーを開示する。
【０００５】
特許文献４（特開２００９−１７２７４７号公報）は、締め付けボルトの頭部形状に適合する多角形の受け口を有する筒状のソケットレンチとＴ字型のハンドルとで構成されているドラム用チューニングキーにおいて、前記締め付けボルトの受け口とハンドル間の回転軸である筒状部分にニードルベアリングを取り付けた副え部分と、回転軸の頭部とハンドルの中心部分に設けた突軸と、ハンドル部分に内在させたアームをハンドルの延長線上に伸ばし、ハンドル部分の長さを可変にすることができるドラム用チューニングキーを開示する。
【先行技術文献】
【特許文献】
【０００６】
【特許文献１】実開昭５２−１１２８１４号公報
【特許文献２】実開平１−８５７９８号公報
【特許文献３】特開２００３−２４５８６２号公報
【特許文献４】特開２００９−１７２７４７号公報
【考案の概要】
【考案が解決しようとする課題】
【０００７】
通常、ドラムを購入した場合、上述した特許文献２で開示されるようなチューニングキーは調整のための必須部品としてドラムに添付される。しかしながら、特許文献１及び３に課題として記載されているように、通常のチューニングキーは、調整ねじを廻すには少なくとも９０°毎に持ち直す必要があり、特に負荷がかからない場合には素早く廻すことが困難であった。特許文献４は、突軸を設けることによって、この課題を解決するものであるが、構造が複雑である使用しづらいという問題点があった。
【０００８】
また、ドラムヘッドの張りを調整する場合には、通常スティックでドラムヘッドを軽く叩き、その音によって張り状態を確認することが普通である。しかしながら、従来のチューニングキーは、金属製であることから、ドラムヘッドを叩くとドラムヘッドを破損する恐れがあるという不都合がある。
【０００９】
このため、本考案は、回転負荷が小さい場合に摘み回すことが可能であると共に、スティックの代わりのドラムヘッドを叩いてドラムヘッドの張りを確認することができるドラム用チューニングキーを提供することにある。
【課題を解決するための手段】
【００１０】
したがって、本考案は、音楽用ドラムのドラムヘッドの張り若しくは緩める調整するための調整用ボルトを回転させるためのドラム用チューニングキーにおいて、前記調整用ボルトに着脱自在に装着される装着部が一端に形成され、他端側に摘み回転部が形成される金属製のロッドと、該金属製のロッドの摘み回転部が突出するように、該ロッドに直交して配置される木製のハンドル部とによって構成されることにある。
【００１１】
これによって、摘み回転部が設けられることによって低負荷時の回転が容易になると共に、ハンドル部を木製にしたことによって、調整用ボルトによってドラムヘッドを張る場合に、前記ハンドル部でドラムヘッドを叩きながら少しずつ調整することが可能となるものである。
【００１２】
また、前記ハンドル部は、円筒形状であり、その両端は球面状に形成されることが望ましい。これによって、ドラムヘッドを傷つけることなく、ドラムヘッドを調整のために叩くことができるものである。
【００１３】
さらに、前記ハンドル部は、折れたドラムスティックを使用して製造されることが望ましい。これによって、廃棄されるドラムスティックを減少させることができると共に、前記ハンドル部をドラムスティックと同材で製造することができるものである。
【００１４】
さらにまた、前記ハンドル部は、木製と同一の硬度や強度を有する合成樹脂によって形成しても良いものである。これによって、大量生産を可能にすることができるものである。
【００１５】
また、前記金属製のロッドの摘み回転部には、滑り止めの凹凸が形成されることが望ましい。
【００１６】
これによって、調整用ボルトの回転負荷が小さい場合に、摘み回転部によってチューニングキーを回転させる時に滑ることがないので、確実に回転させることができ、またある程度の負荷まで対応することが可能となるものである。
【考案の効果】
【００１７】
以上のように、本考案によれば、調整ボルトの回転負荷が低い場合には、摘み回転部を摘んで回転させることができ、回転負荷が高くなると、ハンドル部を持って回転させることによって調整ボルトの締め付け及び解除を素早く行うことができる。また、木製のハンドル部によってドラムヘッドを叩きながらその音によってドラムヘッドの張力を確認しながら調整できるため、ドラムヘッドの調整を簡単に且つ確実に行うことができるものである。
【図面の簡単な説明】
【００１８】
【図１】本考案に係るドラム用チューニングキーの正面図である。
【図２】本考案に係るドラム用チューニングキーの底面図である。
【考案を実施するための形態】
【００１９】
以下、この考案の実施例について図面により説明する。
【実施例】
【００２０】
図１及び２の示すように、本考案に係るドラム用チューニングキー１は、ハンドル部２と、ロッド３とによって構成され、ロッド３がハンドル部２を貫通して配置され、固定ピン８によって固定されて一体に形成されるものである。
【００２１】
前記ハンドル部２は、この実施例では円筒形状をした木製のハンドル本体部２０と、このハンドル本体部２０の両端に形成された曲面部２１，２２とによって構成され、さらにハンドル本体部２０の中央部分には、下記するロッド３が装着される貫通孔９が形成されているものである。
【００２２】
前記ロッド３は、本体部４の両側に摘み回転部５と装着部６とが形成された金属用のロッドである。前記装着部６には、図示しないドラムの調整用ボルトが装着される装着孔７が形成される。さらに、前記摘み回転部５には、滑り止め構造１０のための凹凸が形成される。この凹凸は、複数の突起によって構成しても良いし、凹凸が形成されるように、周囲に複数の溝を形成するものであっても良い。
【００２３】
これによって、前記ハンドル部２に形成の貫通孔９からロッド３の摘み回転部５が突出するように、前記ハンドル部２とロッド３を配置し、固定ピン８によって固定して、ドラム用チューニングキー１が形成されるものである。
【００２４】
以上の構成を有するドラム用チューニングキー１においては、調整用ボルトに装着して回転負荷の小さい段階では、摘み回転部５を摘んでドラム用チューニングキー１を回転させることでき、ある程度回転された後に回転負荷が大きくなった時に、ハンドル部２を利用して調整用ボルトを締め付けてドラムヘッドを張ることができるものである。また、緩める場合には、ハンドル部２にてある程度緩めた後回転負荷が小さくなった時に、摘み回転部５を掴んで回すことができるので、緩める作業も素早く行うことができるものである。
【００２５】
また、ドラムヘッドのチューニングを行う場合、ハンドル部２でドラムヘッドを叩いてドラムヘッドの音を確認しながら、調整ボルトを回転させることができるため、スティックを用意しなくてもチューニングを行うことができるという効果を有するものである。
【００２６】
尚、この実施例におけるハンドル部２は、木製のドラムスティックと同一の素材によって形成されるため、折れたドラムスティックを材料として使用することが望ましいものである。しかしながら、折れたドラムスティックの量も限られているため、ドラムスティックを形成する材料と同一の材料で形成することによって、ドラムヘッドを叩いた時と同様のチューニングを行うことができるものである。
【００２７】
さらに、前記木製のハンドル部２に代えて、前記ハンドル部２を、ドラムスティックと強度、弾性力等が同一である合成樹脂によって形成するようにしても良いものである。これによって、木製の場合と同様の効果を得ることができるものである。
【符号の説明】
【００２８】
１  ドラム用チューニングキー
２  ハンドル部
３  ロッド
４  本体部
５  摘み回転部
６  装着部
７  装着孔
８  固定ピン
９  貫通孔
１０  滑り止め
【図１】
0003186182.tif 000003
【図２】
0003186182.tif 000004